【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
電子メッセージに関連する一つ以上の特徴に関して前記電子メッセージを分析する工程、および、前記分析する工程の結果に基づいて前記電子メッセージに関して一つ以上の受信者特有のタスクを実行する工程を含み、
これらの工程が、
メッセージテンプレートに相当する電子メッセージを識別する工程、および
前記メッセージテンプレートに相当するパーサーテンプレートにしたがって、識別された電子メッセージを解析する工程を含む、コンピューターによって実施される方法。
【請求項２】
前記実行する工程が、前記パーサーテンプレートに関連した説明的タグを前記識別された電子メッセージに割り当てる工程をさらに含む請求項１記載の方法。
【請求項３】
前記実行する工程が、タブをつけられたブラウザ内の電子メッセージから解析された情報を表示する工程をさらに含む請求項２記載の方法。
【請求項４】
プロセッサーおよびメモリーを含むシステムを備えた装置であって、
該プロセッサーおよびメモリーは、
電子メッセージに関連する一つ以上の特徴に関して前記電子メッセージを分析するため、および前記分析する工程の結果に基づいて前記電子メッセージに関して一つ以上の受信者特有のタスクを実行するためのものであり、該分析及び実行は、メッセージテンプレートに相当する電子メッセージを識別すること、および前記メッセージテンプレートに相当するパーサーテンプレートにしたがって、前記識別された電子メッセージを解析することを含む、装置。
【請求項５】
前記パーサーテンプレートに関連する説明的タグを、前記識別された電子メッセージに関連付けるように構成された請求項４記載の装置。
【請求項６】
前記システムが、さらに、タブをつけられたブラウザ内の電子メッセージから解析された情報を表示するように構成された請求項５記載の装置。
【請求項７】
電子メッセージに関連する一つ以上の特徴に関して前記電子メッセージを分析するため、および前記分析する工程の結果に基づいて前記電子メッセージに関して一つ以上の受信者特有のタスクを実行するためのプロセッサーへのインストラクションを含む、コンピュータープログラムでコード化された持続性コンピューター可読媒体。
【請求項８】
前記識別された電子メッセージに前記パーサーテンプレートに関連する説明的タグを、前記プロセッサーに割り当てさせるためのインストラクションをさらに含む、請求項７記載のコンピューター可読媒体。
【請求項９】
タブをつけられたブラウザ内の電子メッセージから解析された情報を、前記プロセッサーに表示させるためのインストラクションをさらに含む、請求項７記載のコンピューター可読媒体。
【請求項１０】
電子メッセージに関連する一つ以上の特徴に関して前記電子メッセージを分析する工程、および、前記分析する工程の結果に基づいて前記電子メッセージに関して一つ以上の受信者特有のタスクを実行する工程を含み、
前記電子メッセージは、第１及び第２の受信者によって受信された電子メッセージを含み、
前記実行する工程が、
前記第２の受信者によって受信された電子メッセージに関して実行されたタスクと、前記第１及び第２の受信者間のインプライドソーシャルグラフの関係性との組み合わせに基づいて、前記第１の受信者によって受信された電子メッセージに関して受信者特有のタスクを実行する工程、
を含むコンピューターによって実施される方法。
【請求項１１】
前記第１の受信者によって受信された前記電子メッセージに関して受信者特有のタスクを実行する工程が、
インプライドソーシャルグラフ内で、前記第１及び第２の受信者間の距離に基づいて、前記第１の受信者によって受信された前記電子メッセージに関して、前記第２の受信者によって実行されたタスクを選択的に実行する工程、
をさらに含む請求項１０記載の方法。
【請求項１２】
プロセッサーおよびメモリーを含むシステムを備えた装置であって、
該プロセッサーおよびメモリーは、
電子メッセージに関連する一つ以上の特徴に関して前記電子メッセージを分析するため、および前記分析する工程の結果に基づいて前記電子メッセージに関して一つ以上の受信者特有のタスクを実行するためのものであり、
前記電子メッセージは、第１及び第２の受信者によって受信された電子メッセージを含み、
前記システムは、前記第２の受信者によって受信された電子メッセージに関して実行されたタスクと、前記第１及び第２の受信者間のインプライドソーシャルグラフの関係性との組み合わせに基づいて、前記第１の受信者によって受信された電子メッセージに関して受信者特有のタスクを実行するように構成された、装置。
【請求項１３】
前記システムが、インプライドソーシャルグラフ内で、前記第１及び第２の受信者間の距離に基づいて、前記第１の受信者によって受信された前記電子メッセージに関して、前記第２の受信者によって実行されたタスクを選択的に実行するように構成された、請求項１２記載の装置。
【請求項１４】
プロセッサーへのインストラクションを含むコンピュータープログラムでコード化された持続性コンピューター可読媒体であって、
該インストラクションは、電子メッセージに関連する一つ以上の特徴に関して前記電子メッセージを分析するため、および、前記分析する工程の結果に基づいて前記電子メッセージに関して一つ以上の受信者特有のタスクを実行するためのものであり、
前記電子メッセージは、第１及び第２の受信者によって受信された電子メッセージを含み、
前記インストラクションは、前記第２の受信者によって受信された電子メッセージに関して実行されたタスクと、前記第１及び第２の受信者間のインプライドソーシャルグラフの関係性との組み合わせに基づいて、前記第１の受信者によって受信された電子メッセージに関して受信者特有のタスクを前記プロセッサーに実行させるためのインストラクションを含む、コンピュータープログラムでコード化された持続性コンピューター可読媒体。
【請求項１５】
インプライドソーシャルグラフ内の前記第１及び第２の受信者間の距離に基づいて、前記第１の受信者によって受信された前記電子メッセージに関して、前記第２の受信者によって実行されたタスクを前記プロセッサーに選択的に実行させるためのインストラクションをさらに含む、請求項１４記載の持続性コンピューター可読媒体。
【請求項１６】
電子メッセージに関連する一つ以上の特徴に関して前記電子メッセージを分析する工程、および、
前記分析する工程の結果に基づいて前記電子メッセージに関して一つ以上の受信者特有のタスクを実行する工程を含み、
前記分析する工程は、第一の電子メッセージの送信者と受信者を識別する工程、
および、
インプライドソーシャルの中における送信者と受信者の距離、
第一の電子メッセージのシンタックス構造、
第一の電子メッセージに関連するメタデータ、
第一の電子メッセージで使用されている言語、
第一の電子メッセージの中で使用されている文字集合、
送信者と受信者の関係性の質、
一つ以上の第一の電子メッセージにおいて対応する特徴と一つ以上の特徴が類似している第二のメッセージに関して、受信者がとった行動、
一つ以上の第一の電子メッセージにおいて対応する特徴と一つ以上の特徴が類似している第三のメッセージに関して、別の受信者がとった行動、
の少なくとも一つの機能にしたがって受信者に関する第一の電子メッセージの関連性を決定する工程、
を含むコンピューターによって実施される方法。
【請求項１７】
前記関連性を決定する工程が、
前記距離に少なくとも部分的に基づいた関連性を決定する工程、
を含む請求項１６記載の方法。
【請求項１８】
前記関連性を決定する工程が、
前記シンタックス構造に少なくとも部分的に基づいた関連性を決定する工程、
を含む請求項１６記載の方法。
【請求項１９】
前記関連性を決定する工程が、
前記メタデータに少なくとも部分的に基づいた関連性を決定する工程、
を含む請求項１６記載の方法。
【請求項２０】
前記関連性を決定する工程が、
前記言語に少なくとも部分的に基づいた関連性を決定する工程、
を含む請求項１６記載の方法。
【請求項２１】
前記関連性を決定する工程が、
前記文字集合に少なくとも部分的に基づいた関連性を決定する工程、
を含む請求項１６記載の方法。
【請求項２２】
前記関連性を決定する工程が、
前記関係性の質に少なくとも部分的には基づいて関連性を決定する工程、
を含む請求項１６記載の方法。
【請求項２３】
前記関連性を決定する工程が、
前記受信者のとった行動に少なくとも部分的には基づいて関連性を決定する工程、
を含む請求項１６記載の方法。
【請求項２４】
前記関連性を決定する工程が、
前記他の受信者のとった行動に少なくとも部分的には基づいて関連性を決定する工程、
を含む請求項１６記載の方法。
【請求項２５】
前記関連性を決定する工程が、
前記距離、
前記シンタックス構造、
前記メタデータ、
前記言語、
前記文字集合、
前記関係性の質、
前記受信者のとった行動、
前記他の受信者のとった行動、
の複数のものの組み合わせに基づいて関連性を決定する工程を含む請求項１６記載の方法。
【請求項２６】
送信者とそれに対応する電子メッセージの受信者との間の距離、
電子メッセージのシンタックス構造、
電子メッセージに関連するメタデータ、
電子メッセージで使用される言語、
電子メッセージで使用される文字集合、
および、送信者とそれに対応する電子メッセージの受信者の関係性の質、
の一つ以上のものに基づいて電子メッセージ間の類似性を決定する工程をさらに含む請求項１６記載の方法。
【請求項２７】
プロセッサーおよびメモリーを含むシステムを備えた装置であって、
該プロセッサーおよびメモリーは、
電子メッセージに関連する一つ以上の特徴に関して前記電子メッセージを分析するため、および前記分析する工程の結果に基づいて前記電子メッセージに関して一つ以上の受信者特有のタスクを実行するためのものであり、
該分析及び実行は、第１の電子メッセージの送信者及び受信者を識別すること、および
インプライドソーシャルの中における送信者と受信者の距離、
第一の電子メッセージのシンタックス構造、
第一の電子メッセージに関連するメタデータ、
第一の電子メッセージで使用されている言語、
第一の電子メッセージの中で使用されている文字集合、
送信者と受信者の関係性の質、
一つ以上の第一の電子メッセージにおいて対応する特徴と一つ以上の特徴が類似している第二のメッセージに関して、受信者がとった行動、
一つ以上の第一の電子メッセージにおいて対応する特徴と一つ以上の特徴が類似している第三のメッセージに関して、別の受信者がとった行動、
の少なくとも一つの機能にしたがって受信者に関する第一の電子メッセージの関連性を決定すること、
を含む装置。
【請求項２８】
前記システムが、
前記距離に少なくとも部分的に基づいた関連性を決定するように構成された請求項２７記載の装置。
【請求項２９】
前記システムが、
前記シンタックス構造に少なくとも部分的に基づいた関連性を決定するように構成された請求項２７記載の装置。
【請求項３０】
前記システムが、
前記メタデータに少なくとも部分的に基づいた関連性を決定するように構成された請求項２７記載の装置。
【請求項３１】
前記システムが、
前記言語に少なくとも部分的に基づいた関連性を決定するように構成された請求項２７記載の装置。
【請求項３２】
前記システムが、
前記文字集合に少なくとも部分的に基づいた関連性を決定するように構成された請求項２７記載の装置。
【請求項３３】
前記システムが、
前記関係性の質に少なくとも部分的には基づいて関連性を決定するように構成された請求項２７記載の装置。
【請求項３４】
前記システムが、
前記受信者のとった行動に少なくとも部分的には基づいて関連性を決定するように構成された請求項２７記載の装置。
【請求項３５】
前記システムが、
前記他の受信者のとった行動に少なくとも部分的には基づいて関連性を決定するように構成された請求項２７記載の装置。
【請求項３６】
前記システムが、
前記距離、
前記シンタックス構造、
前記メタデータ、
前記言語、
前記文字集合、
前記関係性の質、
前記受信者のとった行動、
前記他の受信者のとった行動、
の複数のものの組み合わせに基づいて関連性を決定するように構成された請求項２７記載の装置。
【請求項３７】
前記システムが、
送信者とそれに対応する電子メッセージの受信者との間の距離、
電子メッセージのシンタックス構造、
電子メッセージに関連するメタデータ、
電子メッセージで使用される言語、
電子メッセージで使用される文字集合、
および、送信者とそれに対応する電子メッセージの受信者の関係性の質、
の一つ以上のものに基づいて電子メッセージ間の類似性を決定するように構成された請求項２７記載の装置。
【請求項３８】
インストラクションを含むコンピュータープログラムでコード化された持続性コンピューター可読媒体であって、
該インストラクションは、一つ以上のプロセッサーに、電子メッセージに関連する一つ以上の特徴に関して前記電子メッセージを分析させるため、および、前記分析する工程の結果に基づいて前記電子メッセージに関して一つ以上の受信者特有のタスクを実行させるためのものであり、
該分析及び実行は、第１の電子メッセージの送信者及び受信者を識別すること、および
インプライドソーシャルの中における送信者と受信者の距離、
第一の電子メッセージのシンタックス構造、
第一の電子メッセージに関連するメタデータ、
第一の電子メッセージで使用されている言語、
第一の電子メッセージの中で使用されている文字集合、
送信者と受信者の関係性の質、
一つ以上の第一の電子メッセージにおいて対応する特徴と一つ以上の特徴が類似している第二のメッセージに関して、受信者がとった行動、
一つ以上の第一の電子メッセージにおいて対応する特徴と一つ以上の特徴が類似している第三のメッセージに関して、別の受信者がとった行動、
の少なくとも一つの機能にしたがって受信者に関する第一の電子メッセージの関連性を決定すること、
を含む持続性コンピューター可読媒体。
【請求項３９】
前記一つ以上のプロセッサーに、前記距離に少なくとも部分的に基づいた関連性を決定させるためのインストラクションをさらに含む、請求項３８記載の持続性コンピューター可読媒体。
【請求項４０】
前記一つ以上のプロセッサーに、前記シンタックス構造に少なくとも部分的に基づいた関連性を決定させるためのインストラクションをさらに含む、請求項３８記載の持続性コンピューター可読媒体。
【請求項４１】
前記一つ以上のプロセッサーに、前記メタデータに少なくとも部分的に基づいた関連性を決定させるためのインストラクションをさらに含む、請求項３８記載の持続性コンピューター可読媒体。
【請求項４２】
前記一つ以上のプロセッサーに、前記言語に少なくとも部分的に基づいた関連性を決定させるためのインストラクションをさらに含む、請求項３８記載の持続性コンピューター可読媒体。
【請求項４３】
前記一つ以上のプロセッサーに、前記文字集合に少なくとも部分的に基づいた関連性を決定させるためのインストラクションをさらに含む、請求項３８記載の持続性コンピューター可読媒体。
【請求項４４】
前記一つ以上のプロセッサーに、前記関係性の質に少なくとも部分的には基づいて関連性を決定させるためのインストラクションをさらに含む、請求項３８記載の持続性コンピューター可読媒体。
【請求項４５】
前記一つ以上のプロセッサーに、前記受信者のとった行動に少なくとも部分的には基づいて関連性を決定させるためのインストラクションをさらに含む、請求項３８記載の持続性コンピューター可読媒体。
【請求項４６】
前記一つ以上のプロセッサーに、前記他の受信者のとった行動に少なくとも部分的には基づいて関連性を決定させるためのインストラクションをさらに含む、請求項３８記載の持続性コンピューター可読媒体。
【請求項４７】
前記一つ以上のプロセッサーに、
前記距離、
前記シンタックス構造、
前記メタデータ、
前記言語、
前記文字集合、
前記関係性の質、
前記受信者のとった行動、
前記他の受信者のとった行動、
の複数のものの組み合わせに基づいて関連性を決定させるためのインストラクションをさらに含む、請求項３８記載の持続性コンピューター可読媒体。
【請求項４８】
前記一つ以上のプロセッサーに、
送信者とそれに対応する電子メッセージの受信者との間の距離、
電子メッセージのシンタックス構造、
電子メッセージに関連するメタデータ、
電子メッセージで使用される言語、
電子メッセージで使用される文字集合、
および、送信者とそれに対応する電子メッセージの受信者の関係性の質、
の一つ以上のものに基づいて電子メッセージ間の類似性を決定させるためのインストラクションをさらに含む、請求項３８記載の持続性コンピューター可読媒体。
【請求項４９】
電子メッセージに関連する一つ以上の特徴に関して前記電子メッセージを分析する工程、および、
前記分析する工程の結果に基づいて前記電子メッセージに関して一つ以上の受信者特有のタスクを実行する工程を含み、
前記分析する工程が、
第１の受信者に向けた第１の電子メッセージから情報を解析する工程と、
前記解析された情報に基づいて、前記第１の電子メッセージに意味を割り当てる工程と、
第２の受信者に向けられ、且つ第２の受信者によってタグ付けされた第２の電子メッセージを識別する工程と、
前記第１の電子メッセージの意味と、前記第２のメッセージに割り当てられたタグと、前記第１および第２の受信者間の関係との組み合わせに基づいて、前記第１の電子メッセージのためのタグを定義する工程と、
を含む、コンピューターによって実施される方法。
【請求項５０】
前記解析する工程が、一連の前記電子メッセージからおよび前記電子メッセージに関連するメタデータからの情報を解析する工程を含む、請求項４９記載の方法。
【請求項５１】
前記分析する工程が、インプライドソーシャルに関して前記第１および第２の受信者間の関係を決定する工程をさらに含む、請求項４９記載の方法。
【請求項５２】
プロセッサーおよびメモリーを含むシステムを備えた装置であって、
該プロセッサーおよびメモリーは、
電子メッセージに関連する一つ以上の特徴に関して前記電子メッセージを分析するため、および前記分析する工程の結果に基づいて前記電子メッセージに関して一つ以上の受信者特有のタスクを実行するためのものであり、
該分析及び実行は、
第１の受信者に向けた第１の電子メッセージから情報を解析すること、
前記解析された情報に基づいて、前記第１の電子メッセージに意味を割り当てること、
第２の受信者に向けられ、且つ第２の受信者によってタグ付けされた第２の電子メッセージを識別すること、および
前記第１の電子メッセージの意味と、前記第２のメッセージに割り当てられたタグと、前記第１および第２の受信者間の関係との組み合わせに基づいて、前記第１の電子メッセージのためのタグを定義すること、
を含む装置。
【請求項５３】
前記システムが、一連の前記電子メッセージからおよび前記電子メッセージに関連するメタデータからの情報を解析するように構成されている請求項５２記載の装置。
【請求項５４】
前記システムが、インプライドソーシャルに関して前記第１および第２の受信者間の関係を決定するように構成されている請求項５２記載の装置。
【請求項５５】
インストラクションを含むコンピュータープログラムでコード化された持続性コンピューター可読媒体であって、
該インストラクションは、一つ以上のプロセッサーに、電子メッセージに関連する一つ以上の特徴に関して前記電子メッセージを分析させるため、および、前記分析する工程の結果に基づいて前記電子メッセージに関して一つ以上の受信者特有のタスクを実行させるためのものであり、
該分析及び実行は、
第１の受信者に向けた第１の電子メッセージから情報を解析すること、
前記解析された情報に基づいて、前記第１の電子メッセージに意味を割り当てること、
第２の受信者に向けられ、且つ第２の受信者によってタグ付けされた第２の電子メッセージを識別すること、および
前記第１の電子メッセージの意味と、前記第２のメッセージに割り当てられたタグと、前記第１および第２の受信者間の関係との組み合わせに基づいて、前記第１の電子メッセージのためのタグを定義すること、
を含む持続性コンピューター可読媒体。
【請求項５６】
前記一つ以上のプロセッサーに、一連の前記電子メッセージからおよび前記電子メッセージに関連するメタデータからの情報を解析させるためのインストラクションをさらに含む、請求項５５記載の持続性コンピューター可読媒体。
【請求項５７】
前記一つ以上のプロセッサーに、インプライドソーシャルに関して前記第１および第２の受信者間の関係を決定させるためのインストラクションをさらに含む、請求項５５記載の持続性コンピューター可読媒体。
【請求項５８】
電子メッセージに関連する一つ以上の特徴に関して前記電子メッセージを分析する工程、および、
前記分析する工程の結果に基づいて前記電子メッセージに関して一つ以上の受信者特有のタスクを実行する工程を含み、
前記分析する工程は、
複数の電子メッセージを読み込む工程を含み、該読み込む工程は一つ以上の本文部、メタデータ、添付、及び以前に割り当てられたタグを含み、
前記分析する工程はさらに、
複数の電子メッセージへのクエリを適用する工程を含み、前記クエリは、リテラルコンポーネントおよび該リテラルコンポーネントに関連する未知の所望のコンポーネントへのリファレンスを含み、
前記分析する工程はさらに、
前記リテラルコンポーネントへのリファレンスを含む一連の電子メッセージを識別する工程、
前記所望のコンポーネントを含む一連の電子メッセージの集合を識別する工程、および
前記クエリを満足する電子メッセージの前記集合から情報を検索する工程
を含むコンピューターによって実施される方法。
【請求項５９】
プロセッサーおよびメモリーを含むシステムを備えた装置であって、
該プロセッサーおよびメモリーは、
電子メッセージに関連する一つ以上の特徴に関して前記電子メッセージを分析するため、および前記分析する工程の結果に基づいて前記電子メッセージに関して一つ以上の受信者特有のタスクを実行するためのものであり、
該分析及び実行は、
複数の電子メッセージを読み込むことを含み、該読み込むことは一つ以上の本文部、メタデータ、添付、及び以前に割り当てられたタグを含み、
前記分析及び実行はさらに、
複数の電子メッセージへのクエリを適用することを含み、前記クエリは、リテラルコンポーネントおよび該リテラルコンポーネントに関連する未知の所望のコンポーネントへのリファレンスを含み、
前記分析及び実行はさらに、
前記リテラルコンポーネントへのリファレンスを含む一連の電子メッセージを識別すること、
前記所望のコンポーネントを含む一連の電子メッセージの集合を識別すること、および
前記クエリを満足する電子メッセージの前記集合から情報を検索すること
を含む装置。
【請求項６０】
インストラクションを含むコンピュータープログラムでコード化された持続性コンピューター可読媒体であって、
該インストラクションは、一つ以上のプロセッサーに、電子メッセージに関連する一つ以上の特徴に関して前記電子メッセージを分析させるため、および、前記分析する工程の結果に基づいて前記電子メッセージに関して一つ以上の受信者特有のタスクを実行させるためのものであり、
該分析及び実行は、
複数の電子メッセージを読み込むことを含み、該読み込むことは一つ以上の本文部、メタデータ、添付、及び以前に割り当てられたタグを含み、
前記分析及び実行はさらに、
複数の電子メッセージへのクエリを適用することを含み、前記クエリは、リテラルコンポーネントおよび該リテラルコンポーネントに関連する未知の所望のコンポーネントへのリファレンスを含み、
前記分析及び実行はさらに、
前記リテラルコンポーネントへのリファレンスを含む一連の電子メッセージを識別すること、
前記所望のコンポーネントを含む一連の電子メッセージの集合を識別すること、および
前記クエリを満足する電子メッセージの前記集合から情報を検索すること
を含む持続性コンピューター可読媒体。